(57)【特許請求の範囲】
【請求項１】
第１装飾部材と、前記第１装飾部材を所定の退避位置と進出位置とに亙って移動させる駆動機構とを備えた遊技機において、
前記第１装飾部材に揺動自在に連結された第２装飾部材と、
前記第１装飾部材の移動方向と同方向へ移動可能な作動部材であって、前記第１装飾部材の一部の移動領域において前記第１装飾部材がその移動方向と同方向へ相対移動自在に、前記第１装飾部材に装着され且つ前記第２装飾部材に対して相対移動可能に連結された作動部材と、
前記第１装飾部材が前記退避位置から前記進出位置へ至るまでの途中位置へ移動する際に、前記作動部材及び前記第１，第２装飾部材を一体的に移動させ、前記第１装飾部材が前記途中位置から前記進出位置へ移動する際に、前記作動部材を移動停止状態に保持して、前記第２装飾部材を前記第１装飾部材と共に移動させながら、前記第１装飾部材と前記作動部材とを相対移動させ且つ前記作動部材と前記第２装飾部材とを相対移動させることで前記第２装飾部材を揺動させる作動機構を備えたことを特徴とする遊技機。
【請求項２】
前記作動機構は、
前記作動部材を前記第１装飾部材に対して前記進出位置側へ付勢するバネ部材と、
前記第１装飾部材に設けられ且つ前記第１装飾部材が前記退避位置から途中位置へ移動する際に前記作動部材が係合する第１係合部と、
静止側部材に設けられ且つ前記第１装飾部材が前記途中位置から進出位置へ移動する際に前記作動部材が係合する第２係合部と、
を備えたことを特徴とする請求項１に記載の遊技機。
【請求項３】
前記作動機構は、前記第１装飾部材と前記作動部材との相対移動により前記第２装飾部材を揺動させるカム機構を有することを特徴とする請求項１又は２に記載の遊技機。
【発明の詳細な説明】
【技術分野】
【０００１】
本発明は遊技機に関し、特に、第１装飾部材が退避位置から進出位置へ移動する際、退避位置と途中位置間では、第１，第２装飾部材を一体的に移動させ、途中位置と進出位置間では、第２装飾部材を第１装飾部材と共に移動させながら揺動させる技術である。
【背景技術】
【０００２】
近年、パチンコ遊技機において、遊技興趣を高めるために、装飾部材と、この装飾部材を所定の退避位置と進出位置とに亙って移動させる電動モータを有する駆動機構とを備えた可動役物装置、更に、装飾部材を画像表示器の画面前側で移動させる可動役物装置が広く実用に供されている（例えば、特許文献１参照）。
【０００３】
特許文献１の可動役物装置では、複数の正座した人形が昇降し、それら人形の上半身が傾動（お辞儀）する。特許文献１の第１の実施例（図２〜図８参照）では、複数の人形が昇降板に載置され、複数の人形の手が昇降板の下面に配置されたスライド板に連結されている。昇降板に設けた下鉛直板片に電動モータとピニオンが装着され、この電動モータによりピニオンが回転駆動されると、このピニオンが静止側のラックと噛合している状態では、複数の人形が昇降板と共に昇降される。
【０００４】
昇降板の下鉛直板片にスライド用ギヤが装着され、このスライド用ギヤの外周近傍部にピンが設けられ、このピンがスライド板に設けた下鉛直板片に形成された上下方向に長い係合溝に係合している。電動モータによりピニオンが回転駆動されると、このピニオンがスライド用ギヤと噛合している状態では、スライド板が前後方向へスライドされて、複数の人形の上半身が傾動される。ピニオンにはギヤ部と非ギヤ部とが形成され、このピニオン（ギヤ部）がラックとスライド用ギヤとに択一的に噛合し、複数の人形の上半身が起立姿勢に保持された状態で昇降板（複数の人形）が昇降され、昇降板が上限位置に保持された状態で複数の人形の上半身が傾動される。
【０００５】
特許文献１の第２の実施例（図９〜図１３参照）では、昇降ベース板が電動モータにより駆動されるパンタグラフ機構により昇降され、この昇降ベース板の上側に、複数の人形が載置された昇降板と、複数の人形の手が連結されたスライド板が配設されている。昇降板は昇降ベース板に複数の鉛直バネを介して連結され、スライド板は水平バネにより昇降板に対して後方へ付勢されている。スライド板の下面にカム部が設けられ、このカム部に係合するカム押圧部が昇降ベース板に設けられている。
【０００６】
昇降ベース板がその上限位置近傍以外の位置にある状態で、複数の鉛直バネにより昇降板と昇降ベース板はその間の距離を一定に保持して一体的に昇降され、その際、水平バネにより複数の人形の上半身が起立姿勢に保持される。昇降ベース板がその上限位置近傍にある状態で、昇降板が静止側の係止部により上限位置に係止保持され、そこで、昇降ベース板が昇降板に対して相対的に昇降されると、スライド板のカム部とベース板のカム押圧部によりスライド板が前後方向へスライドされる。つまり、特許文献１の第１の実施例と同様に、複数の人形の上半身が起立姿勢に保持された状態で昇降板（複数の人形）が昇降され、昇降板が上限位置に保持された状態で複数の人形の上半身が傾動される。
【先行技術文献】
【特許文献】
【０００７】
【特許文献１】特開２０１０−５７８２９号公報
【発明の概要】
【発明が解決しようとする課題】
【０００８】
特許文献１の可動役物装置では、共通の単一の電動モータを駆動源として、人形を昇降させ、また、人形の上半身を傾動させるが、人形を昇降させる動作と人形の上半身を傾動させる動作は同時に行われず夫々単独で行われる。しかし、この装飾部材の動作では、斬新さに欠け、装飾部材が形成する物の動きを思うように表現できない場合がある。
【０００９】
特許文献１の可動役物装置において、第２の実施例では、昇降板と昇降ベース板とを相対移動させることにより、スライド板をスライドさせるが、そのために、昇降ベース板にパンタグラフ機構を連結し、その昇降ベース板に複数の鉛直バネを介して昇降板を連結している。つまり、昇降板を移動停止させた状態で、昇降ベース板を移動させることにより、昇降板と昇降ベース板との相対移動を発生させる構造であるため、人形を昇降させる動作と人形の上半身を傾動させる動作は同時に行われず夫々単独で行われることになる。
【００１０】
本発明の目的は、共通の単一のアクチュエータを駆動源として、第１，第２装飾部材の斬新な動作を実現して演出効果を高め、その為の作動信頼性を高めることができる遊技機を提供することである。
【課題を解決するための手段】
【００１１】
第１の発明（遊技機）は、第１装飾部材(41A/41B/41C) と、前記第１装飾部材(41A/41B/41C) を所定の退避位置と進出位置とに亙って移動させる駆動機構(46A/46B/46C) とを備えた遊技機(1) において、前記第１装飾部材(41A/41B/41C) に揺動自在に連結された第２装飾部材(42A/42B/42C) と、前記第１装飾部材(41A/41B/41C) の移動方向と同方向へ移動可能な作動部材(47A/47B/47C) であって、前記第１装飾部材(41A/41B/41C) の一部の移動領域において前記第１装飾部材(41A/41B/41C) がその移動方向と同方向へ相対移動自在に、前記第１装飾部材(41A/41B/41C) に装着され且つ前記第２装飾部材(42A/42B/42C) に対して相対移動可能に連結された作動部材(47A/47B/47C) と、前記第１装飾部材(41A/41B/41C) が前記退避位置から前記進出位置へ至るまでの途中位置へ移動する際に、前記作動部材(47A/47B/47C) 及び前記第１，第２装飾部材(41A/41B/41C,42A/42B/42C) を一体的に移動させ、前記第１装飾部材(41A/41B/41C) が前記途中位置から前記進出位置へ移動する際に、前記作動部材(47A/47B/47C) を移動停止状態に保持して、前記第２装飾部材(42A/42B/42C) を前記第１装飾部材(41A/41B/41C) と共に移動させながら、前記第１装飾部材(41A/41B/41C) と前記作動部材(47A/47B/47C) とを相対移動させ且つ前記作動部材(47A/47B/47C) と前記第２装飾部材(42A/42B/42C) とを相対移動させることで前記第２装飾部材(42A/42B/42C) を揺動させる作動機構(48A/48B/48C) を備えたことを特徴としている。
【００１２】
第２の発明は、第１の発明において、前記作動機構(48A) は、前記作動部材(47A) を前記第１装飾部材(41A) に対して前記進出位置側へ付勢するバネ部材(70)と、前記第１装飾部材(41A) に設けられ且つ前記第１装飾部材(41A) が前記退避位置から途中位置へ移動する際に前記作動部材(47A) が係合する第１係合部(73)と、静止側部材(50)に設けられ且つ前記第１装飾部材(41A) が前記途中位置から進出位置へ移動する際に前記作動部材(47A) が係合する第２係合部(74)とを備えたことを特徴としている。
【００１３】
第３の発明は、第１又は第２の発明において、前記作動機構(48A) は、前記第１装飾部材(41A) と前記作動部材(47A) との相対移動により前記第２装飾部材(42A) を揺動させるカム機構(49A) を有することを特徴としている。
【発明の効果】
【００１５】
本発明（遊技機）によれば、共通の単一のアクチュエータを駆動源として、第１，第２装飾部材の斬新な動作を実現して演出効果を高めることができる。
【図面の簡単な説明】
【００１６】
【図１】パチンコ遊技機の斜視図である。
【図２】パチンコ遊技機の遊技盤の正面図である。
【図３】パチンコ遊技機の制御系のブロック図である。
【図４】３体の第１装飾部材が退避位置にある状態の可動役物装置の正面図である。
【図５】図４の可動役物装置の裏面図である。
【図６】左１体の第１装飾部材が途中位置にあり残り２体の第１装飾部材が退避位置にある状態の可動役物装置の正面図である。
【図７】図６の可動役物装置の裏面図である。
【図８】左右２体の第１装飾部材が途中位置にあり残り１体の第１装飾部材が退避位置にある状態の可動役物装置の正面図である。
【図９】図８の可動役物装置の裏面図である。
【図１０】３体の第１装飾部材が途中位置にある状態の可動役物装置の正面図である。
【図１１】図１０の可動役物装置の裏面図である。
【図１２】３体の第１装飾部材が進出位置にある状態の可動役物装置の正面図である。
【図１３】図１２の可動役物装置の裏面図である。
【図１４】装飾部材等の要部を示す可動役物装置の前側からの斜視図である。
【図１５】図１４の可動役物装置の後側からの斜視図である。
【図１６】装飾部材等を省略した可動役物装置の前側からの斜視図である。
【図１７】図１６の可動役物装置の正面図である。
【図１８】図１６の可動役物装置の裏面図である。
【発明を実施するための形態】
【００１７】
以下、発明を実施するための形態について実施例に基づいて説明する。
【実施例】
【００１８】
図１、図２に示すように、パチンコ遊技機１には、遊技ホールの島構造体に取付けられる外枠（図示略）に開閉枠２が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部には、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１９】
開閉扉３には、窓３ａの下側に遊技球を貯留する貯留皿５が設けられ、その貯留皿５に演出ボタンＳＷ６（「ＳＷ」はスイッチを意味する）が装着され、貯留皿５の右下側に発射ハンドル７が装着されている。発射ハンドル７が回動操作されると、貯留皿５から発射位置に導入された遊技球が発射され、貯留皿５に複数の遊技球が貯留されている場合には、複数の遊技球が約０．６秒間隔で連続発射される。発射された遊技球はガイドレール８で案内され遊技領域４ａの上部に導入される。
【００２０】
図２、図３に示すように、遊技盤４には遊技領域４ａに配置された多数の障害釘（図示略）の他、第１始動口１０、開閉式の第２始動口１１ａを有する始動口装置１１、ゲート１２、開閉式の大入賞口１３ａを有する大入賞口装置１３、複数（４つ）の一般入賞口１４が設けられている。第１始動口１０、ゲート１２、複数の一般入賞口１４には、夫々、そこに入賞した遊技球を検出する第１始動口ＳＷ１０ａ、ゲートＳＷ１２ａ、複数の一般入賞口ＳＷ１４ａが付設されている。
【００２１】
始動口装置１１は、第２始動口１１ａ、第２始動口１１ａを開閉する開閉部材１１ｂ、第２始動口１１ａに入賞した遊技球を検出する第２始動口ＳＷ１１ｃ、開閉部材１１ｂを開閉駆動する第２始動口ＳＯＬ１１ｄ（「ＳＯＬ」はソレノイドアクチュエータを意味する）を有する。大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。
【００２２】
遊技球が入賞口１０，１１ａ，１３ａ，１４に入賞した場合、遊技球１個の入賞につき入賞口１０，１１ａ，１３ａ，１４毎に設定された数の遊技球が貯留皿５に払出される。遊技球が始動口１０，１１ａに入賞した場合に大当り抽選が行われ、その大当り抽選で当選した場合、通常は閉塞の大入賞口１３ａが複数ラウンドに亙って開閉する大当り遊技が発生する。遊技球がゲート１２を通過した場合に当り抽選が行われ、その当り抽選で当選した場合、通常は閉塞の第２始動口１１ａが１又は複数回開閉する補助遊技が発生する。
【００２３】
遊技盤４にはセンタ役物１５が取付けられ、このセンタ役物１５に、画像表示器１６と、図４〜図１８に示す可動役物装置１７が装備されている。センタ役物１５は遊技盤４に比較的大きく形成されたセンタ開口部に嵌合装着されたセンタ枠部材１５ａを有し、このセンタ枠部材１５ａの下部には遊技球が転動するステージ１５ｂが形成されている。
【００２４】
画像表示器１６はその画面をパチンコ遊技機１の前側からセンタ枠部材１５ａの内側を通して視認できるように配置されている。画像表示器１６には、大当り抽選に関する遊技演出が表示され、その遊技演出では、大当り抽選を演出するために複数の演出図柄が変動後停止するように表示されるとともに、複数の演出図柄以外に演出動画が表示され、また、大当り遊技中には、その大当り遊技を演出するために演出動画が表示される。
【００２５】
遊技盤４の右下部には遊技表示盤１９が設けられ、この遊技表示盤１９は、第１特図表示器１９ａ、第２特図表示器１９ｂ、普図表示器１９ｃ、第１特図保留ランプ１９ｄ、第２特図保留ランプ１９ｅ、普図保留ランプ１９ｆを備えている。
【００２６】
第１特図表示器１９ａには第１特別図柄が変動可能に表示され、第１特図保留ランプ１９ｄには第１特図保留数が表示され、その第１特図保留数は４未満の場合に第１始動口１０に遊技球が入賞する毎に１加算される。第２特図表示器１９ｂには第２特別図柄が変動可能に表示され、第２特図保留ランプ１９ｅには第２特図保留数が表示され、その第２特図保留数は４未満の場合に第２始動口１１ａに遊技球が入賞する毎に１加算される。
【００２７】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第２特図保留数が１減算されて第２特別図柄が変動開始され、その後の停止図柄で大当り抽選の結果が表示される。
【００２８】
普図表示器１９ｃには普通図柄が変動可能に表示され、普図保留ランプ１９ｆには普図保留数が表示され、その普図保留数は４未満の場合にゲート１２に遊技球が入賞する毎に１加算される。普通図柄が変動停止状態で、普図保留数が１以上の場合、普図保留数が１減算されて普通図柄が変動開始され、その後の停止図柄で当り抽選の結果が表示される。
【００２９】
パチンコ遊技機１の制御系について説明する。
図３に示すように、制御装置３０は、遊技制御基板３１、払出制御基板３２、演出制御基板３３、画像制御基板３４、ランプ制御基板３５を備え、これら制御基板３１〜３５に夫々ＣＰＵとＲＯＭとＲＡＭを含むコンピュータを備えて構成され、演出制御基板３３は更にＲＴＣ（「ＲＴＣ」はリアルタイムクロックを意味する）を備えている。
【００３０】
遊技制御基板３１のコンピュータは、第１，第２始動口ＳＷ１０ａ，１１ｃ、ゲートＳＷ１２ａ、大入賞口ＳＷ１３ｃ、複数の一般入賞口ＳＷ１４ａからの信号と、払出制御基板３２からの情報とを受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板３２と演出制御基板３３とに制御情報（遊技情報）を出力する。
【００３１】
払出制御基板３２のコンピュータは、遊技制御基板３１からの制御情報と、払出球検出ＳＷ３６ｂ、球有り検出ＳＷ３６ｃ、満タン検出ＳＷ３６ｄからの信号とを受けて、払出モータ３６ａを制御し、遊技制御基板３２に制御情報（払出情報）を出力する。演出制御基板３３のコンピュータは、遊技制御基板３１、画像制御基板３４、ランプ制御基板３５からの制御情報と、演出ボタンＳＷ６からの信号とを受けて、画像制御基板３４、ランプ制御基板３５に制御情報を出力する。
【００３２】
画像制御基板３４のコンピュータは、演出制御基板３３からの制御情報を受けて、遊技演出用の画像表示器１６とスピーカ３７とを制御し、演出制御基板３３に制御情報を出力する。ランプ制御基板３５のコンピュータは、演出制御基板３３からの制御情報を受けて、主に画像制御基板３４のコンピュータによる制御に同期させて、遊技演出用の枠ランプ３８ａと盤ランプ３８ｂと可動役物装置１７とを制御する。
【００３３】
可動役物装置１７について説明する。
図４〜図１８に示すように、可動役物装置１７は、第１，第２，第３の可動役物４０Ａ，４０Ｂ，４０Ｃと、第１，第２，第３の可動役物４０Ａ，４０Ｂ，４０Ｃを動作させる役物動作機構４５とを備えている。また、可動役物装置１７は、センタ枠部材１５ａの下部に固定された静止側部材である役物ベース５０を備え、この役物ベース５０に第１，第２，第３の可動役物４０Ａ，４０Ｂ，４０Ｃと役物動作機構４５が装着されている。
【００３４】
第１，第２，第３の可動役物４０Ａ，４０Ｂ，４０Ｃは、夫々、サーファーギミックを形成し、画像表示器１６の画面下端側において左右方向に並設されている。この第１，第２，第３の可動役物４０Ａ，４０Ｂ，４０Ｃは、夫々、第１装飾部材４１Ａ，４１Ｂ，４１Ｃと、第１装飾部材４１Ａ，４１Ｂ，４１Ｃに揺動自在に連結された第２装飾部材４２Ａ，４２Ｂ，４２Ｃとを備えている。
【００３５】
役物動作機構４５は、第１，第２，第３の可動役物４０Ａ，４０Ｂ，４０Ｃの夫々に対して、第１装飾部材４１Ａ，４１Ｂ，４１Ｃを所定の退避位置（図４等参照）と進出位置（図１２等参照）とに亙って上下方向へ移動させる駆動機構４６Ａ，４６Ｂ，４６Ｃと、第１装飾部材４１Ａ，４１Ｂ，４１Ｃに上下方向へ相対移動自在に装着された作動部材４７Ａ，４７Ｂ，４７Ｃと、第１装飾部材４１Ａ，４１Ｂ，４１Ｃが退避位置から進出位置へ至るまでの途中位置（図１０等参照）へ移動する際に、作動部材４７Ａ，４７Ｂ，４７Ｃ及び第１，第２装飾部材４１Ａ，４１Ｂ，４１Ｃ，４２Ａ，４２Ｂ，４２Ｃを一体的に移動させ、第１装飾部材４１Ａ，４１Ｂ，４１Ｃが途中位置から進出位置へ移動する際に（第１装飾部材４１の一部の移動領域において）第１装飾部材４１Ａ，４１Ｂ，４１Ｃと作動部材４７Ａ，４７Ｂ，４７Ｃとを相対移動させて、第２装飾部材４２Ａ，４２Ｂ，４２Ｃを第１装飾部材４１Ａ，４１Ｂ，４１Ｃと共に移動させながら揺動させる作動機構４８Ａ，４８Ｂ，４８Ｃとを備えている。
【００３６】
先ず、役物ベース５０について説明し、次に、第１の可動役物４０Ａについて詳細に説明する。尚、第２，第３の可動役物４０Ｂ，４０Ｃについては、第１の可動役物４０Ａと基本的に同じ構成であるので、詳細な説明を省略する。
【００３７】
図４、図６、図８、図１０、図１２、図１６〜図１８等に示すように、役物ベース５０は、第１ケース５１と、その後面部に固定された第２ケース５２とを有する。第１ケース５１の前壁には、３つの第１装飾部材４１Ａ，４１Ｂ，４１Ｃを夫々上下方向へ移動自在にガイドする上下方向に長い３つのガイドスリット５３Ａ，５３Ｂ，５３Ｃ（ガイド部）と、３つの作動部材４７Ａ，４７Ｂ，４７Ｃの一部が夫々上下方向へ移動可能に挿入される上下方向に長い３つの凹溝５４Ａ，５４Ｂ，５４Ｃとが形成され、第１ケース５１の後壁に上下方向に長い３つのガイドスリット５５Ａ，５５Ｂ，５５Ｃが形成されている。
【００３８】
図４〜図１５に示すように、第１の可動役物４０Ａにおいて、第１，第２装飾部材４１Ａ，４２Ａは第１ケース５１の前側に配置され、第１装飾部材４１Ａは、サーファーの顔と胴体と尻と両足とサーファーが乗るサーフィンを形成し、第２装飾部材４２Ａは、サーファーの服と両手を形成している。第２装飾部材４２Ａの上端部が、第１装飾部材４１Ａに、その顔の後側において前後方向の軸４１Ａａを介して回動自在に支持されている。第２装飾部材４２Ａは、第１装飾部材４１Ａの顔とその後方に位置する胴体の上端部分との間から下方へ垂れ下がり、その服により第１装飾部材４１Ａの胴体と尻とを覆う通常位置（図４等参照）と、この通常位置から左方へずれて第１装飾部材４１Ａの尻を露出させる作動位置（図１２等参照）とに亙って回動される。
【００３９】
図１４〜図１８に示すように、第１の可動役物４０Ａは、第１装飾部材４１Ａの下端部に固定されその下側に配設された装飾ケース部材４３を有する。この装飾ケース部材４３にスライダー４４が設けられ、このスライダー４４が第１ケース５１のガイドスリット５３Ａに摺動自在に係合している。スライダー４４の後端部に駆動機構４６Ａの可動ラック６８が固定されている。これにより、第１装飾部材４１Ａは、可動ラック６８と共に、姿勢を保持された状態で、第１ケース５１のガイドスリット５３Ａにより退避位置と進出位置とに亙って上下方向へ移動自在にガイドされている。
【００４０】
次に、駆動機構４６Ａ，４６Ｂ，４６Ｃについて詳細に説明し、その後、作動部材４７Ａ、作動機構４８Ａについて詳細に説明する。尚、作動部材４７Ｂ，４７Ｃ、作動機構４８Ｂ，４８Ｃについては、作動部材４７Ａ、作動機構４８Ａと基本的に同じ構成であるので、詳細な説明を省略する。
【００４１】
図５，図７，図９，図１１，図１３，図１６〜図１８等に示すように、駆動機構４６Ａ，４６Ｂ，４６Ｃは、共通の単一の電動モータ６０を駆動源とするものであり、３つの第１装飾部材４１Ａ，４１Ｂ，４１Ｃを昇降させる場合に、退避位置から途中位置へは左側の第１装飾部材４１Ａ→右側の第１装飾部材４１Ｃ→中央の第１装飾部材４１Ｂの順番で上昇させ、途中位置と進出位置との間では３つの第１装飾部材４１Ａ，４１Ｂ，４１Ｃを同時に昇降させ、進出位置から退避位置へは３つの第１装飾部材４１Ａ，４１Ｂ，４１Ｃを同時に一気に下降させるように構成されている。
【００４２】
そのために、３つのカム部６１Ａａ，６１Ｂａ，６１Ｃａを有するカム付ギヤ６１Ａ，６１Ｂ，６１Ｃと、２つの中間ギヤ６２，６３が、第２ケース５２の内部に配設され、第２ケース５２の後壁に夫々前後方向の軸を介して回転自在に支持されて、図示のように直列状に噛合している。電動モータ６０は第２ケース５２に取付けられ、その出力軸６０ａに固着された出力ギヤ６４が中間ギヤ６３に噛合し、電動モータ６０が駆動されると、３つのカム付ギヤ６１Ａ，６１Ｂ，６１Ｃが、同方向に同期して回動される。
【００４３】
また、３つの揺動部材６５Ａ，６５Ｂ，６５Ｃが、第２ケース５２の内部に配設され、第２ケース５２の後壁に夫々カム付ギヤ６１Ａ，６１Ｂ，６１Ｃの上側において前後方向の軸を介して回転自在に支持されている。３つの揺動部材６５Ａ，６５Ｂ，６５Ｃは、夫々、３つのカム部６１Ａａ，６１Ｂａ，６１Ｃａと係合可能なカム従動部６５Ａａ，６５Ｂａ，６５Ｃａと、レバー部６５Ａｂ，６５Ｂｂ，６５Ｃｂとを有する。カム付ギヤ６１Ａ，６１Ｂ，６１Ｃが回動されることで、カム部６１Ａａ，６１Ｂａ，６１Ｃａとカム従動部６５Ａａ，６５Ｂａ，６５Ｃａとにより、レバー部６５Ａｂ，６５Ｂｂ，６５Ｃｂが上下に揺動される。
【００４４】
また、３つのラック・ピニオン機構６６Ａ，６６Ｂ，６６Ｃが、第１ケース５１の内部に配設され、夫々３つの揺動部材６５Ａ，６５Ｂ，６５Ｃのレバー部６５Ａｂ，６５Ｂｂ，６５Ｃｂの先端部分と連動連結されている。ラック・ピニオン機構６６Ａは、上下方向に延びる固定ラック６７及び可動ラック６８、これら両ラック６７，６８に噛合するピニオン６９を有する。固定ラック６７は第１ケース５１に固定され、可動ラック６８は、前記のように、第１ケース５１のガイドスリット５２Ａにより上下方向へ移動自在にガイドされている。
【００４５】
第１ケース５１のガイドスリット５５Ａにはスライダー６９ａが摺動自在に係合して上下方向へガイドされている。揺動部材６５Ａのレバー部６５Ａｂの先端部分は、そこに形成された長孔６５Ａｃと、スライダー６９ａに後方突出状に設けられたピン６９ｂとを介して、スライダー６９ａに回動自在に且つスライド自在に連結され、このスライダー６９ａにピニオン６９が前後方向の軸を介して回転自在に装着されている。このラック・ピニオン機構６６Ａにより、揺動部材６５Ａが回動され、レバー部６５Ａｂの先端部分が上昇すると、その上昇量の約２倍の上昇量で第１装飾部材４１Ａが上昇され、レバー部６５Ａｂの先端部分が下降すると、その下降量の約２倍の下降量で第１装飾部材４１Ａが下降される。尚、他のラック・ピニオン機構６６Ｂ，６６Ｃについては、ラック・ピニオン機構６６Ａと同じ構成であるので説明を省略する。
【００４６】
ここで、図１８に示すように、カム付ギヤ６１Ａのカム部６１Ａａは、中心側から径方向外側へ延びるカム始端部６１Ａａ１、カム始端部６１Ａａ１の径方向外端部から第２方向Ａ２（後面視にて反時計回り方向）へ延びる第１円弧部６１Ａａ２、第１円弧部６１Ａａ２の第２方向Ａ２の端部から径方向外側へ傾斜状に延びる傾斜部６１Ａａ３、傾斜部６１Ａａ３の径方向外端部から第２方向Ａ２へ延びる（第１円弧部６１Ａａ２よりも大径の）第２円弧部６１Ａａ４、第２円弧部６１Ａａ４の第２方向Ａ２の端部から中心側へ延びるカム終端部６１Ａａ５を有する。
【００４７】
カム付ギヤ６１Ｂ，６１Ｃのカム部６１Ｂａ，６１Ｃａは、カム部６１Ａａのカム始端部６１Ａａ１、傾斜部６１Ａａ３、第２円弧部６１Ａａ４、カム終端部６１Ａａ５と同形状のカム始端部６１Ｂａ１，６１Ｃａ１、第１円弧部６１Ｂａ２，６１Ｃａ２、傾斜部６１Ｂａ３，６１Ｃａ３、カム終端部６１Ｂａ５，６１Ｃａ５を有するとともに、カム部６１Ｂａは、カム部６１Ａａの第１円弧部６１Ａａ２よりも周方向長さが短い第１円弧部６１Ｂａ２を有し、カム部６１Ｃａは、カム部６１Ａａの第１円弧部６１Ａａ２よりも周方向長さが短く且つカム部６１Ｂａの第１円弧部６１Ｂａ２よりも周方向長さが長い第１円弧部６１Ｃａ２を有する。
【００４８】
３つのカム部６１Ａａ，６１Ｂａ，６１Ｃａにおいて、傾斜部６１Ａａ３，６１Ｂａ３，６１Ｃａ３、第２円弧部６１Ａａ４，６１Ｂａ４，６１Ｃａ４、カム終端部６１Ａａ５，６１Ｂａ５，６１Ｃａ５は同位相に配置され、つまり、カム始端部６１Ａａ１は、カム始端部６１Ｃａ１よりも第１方向Ａ１（後面視にて時計回り方向）に先行した位相に配置され、また、カム始端部６１Ｃａ１は、カム始端部６１Ｂａ１よりも第１方向Ａ２に先行した位相に配置されている。これにより、３つのカム付ギヤ６１Ａ，６１Ｂ，６１Ｃが同期して回動されことにより、３つの第１装飾部材４１Ａ，４１Ｂ，４１Ｃが次のように動作する。
【００４９】
先ず、３つの揺動部材６５Ａ，６５Ｂ，６５Ｃのカム従動部６５Ａａ，６５Ｂａ，６５Ｃａが３つのカム部６１Ａａ，６１Ｂａ，６１Ｃａに係合していない状態、つまり３つの第１装飾部材４１Ａ，４１Ｂ，４１Ｃが退避位置にある状態から、３つのカム付ギヤ６１Ａ，６１Ｂ，６１Ｃが第１方向へ回動されると、先ず、カム従動部６５Ａａがカム始端部６１Ａａ１に係合し押動され第１円弧部６１Ａａ２に係合する動作により、第１装飾部材４１Ａが退避位置から途中位置へ上昇して途中位置に保持される。
【００５０】
続いて、カム従動部６５Ｃａがカム始端部６１Ｃａ１に係合し押動され第１円弧部６１Ｃａ２に係合する動作により、第１装飾部材４１Ｃが退避位置から途中位置へ上昇して途中位置に保持され、続いて、カム従動部６５Ｂａがカム始端部６１Ｂａ１に係合し押動され第１円弧部６１Ｂａ２に係合する動作により、第１装飾部材４１Ｂが退避位置から途中位置へ上昇して途中位置に保持される。
【００５１】
次に、３つのカム従動部６５Ａａ，６５Ｂａ，６５Ｃａが、同時に、３つの傾斜部６１Ａａ３，６１Ｂａ３，６１Ｃａ３に係合し押動され３つの第２円弧部６１Ａａ４，６１Ｂａ４，６１Ｃａ４に係合する動作により、３つの第１装飾部材４１Ａ，４１Ｂ，４１Ｃが同時に途中位置から進出へ上昇して進出位置に保持される。ここで、３つのカム従動部６５Ａａ，６５Ｂａ，６５Ｃａが３つの傾斜部６１Ａａ３，６１Ｂａ３，６１Ｃａ３に係合した状態で、３つのカム付ギヤ６１Ａ，６１Ｂ，６１Ｃが往復回動されることで、３つの第１装飾部材４１Ａ，４１Ｂ，４１Ｃが同期して上下に揺動される。
【００５２】
次に、カム付ギヤ６１Ａ，６１Ｂ，６１Ｃが第１方向へ回動されることで、３つのカム従動部６５Ａａ，６５Ｂａ，６５Ｃａが、３つのカム終端部６１Ａａ５，６１Ｂａ５，６１Ｃａ５により、３つの第２円弧部６１Ａａ４，６１Ｂａ４，６１Ｃａ４から同時に係合解除し、この動作により、３つの第１装飾部材４１Ａ，４１Ｂ，４１Ｃが、それらの自重等により、同時に進出位置から退避位置へ一気に下降する。
【００５３】
作動部材４７Ａは、下部が装飾ケース部材４３の内部に収容され、上部が装飾ケース部材４３よりも上方へ突出している。ここで、装飾ケース部材４３の後壁には、作動部材４７Ａを上下方向へガイドする上下方向に延びるガイドスリット４３ａが形成されている。作動部材４７Ａの下部には、ガイドスリット４３ａに摺動自在に係合する上下方向に比較的長い被ガイド部４７ａが設けられ、この被ガイド部４７ａの前後両端部に、装飾ケース部材４３の後壁を挟むように、ガイドスリット４３ａよりも左右方向幅が広い前スライド片４７ｂと後スライド片（図示略）が設けられている。第１ケース５１の凹溝５４Ａには、作動部材４７Ａの後スライド片が上下方向へ移動可能に挿入されている。
【００５４】
作動機構４８Ａは、作動部材４７Ａを第１装飾部材４１Ａに対して上方（進出位置側）へ付勢するバネ部材７０と、第１装飾部材４１Ａに設けられ且つ第１装飾部材４１Ａが退避位置から途中位置へ移動する際に作動部材４７Ａがバネ部材７０の付勢力により係合する第１係合部７３と、静止側部材である役物ベース５０に設けられ且つ第１装飾部材４１Ａが途中位置から進出位置へ移動する際に作動部材４７Ａが係合する第２係合部７４とを有する。
【００５５】
バネ部材７０には引っ張りコイルバネが採用され、このバネ部材７０が装飾ケース部材４３の内部に鉛直向きに収容され、このバネ部材７０の上端部が装飾ケース部材４３に連結され、バネ部材７０の下端部が作動部材４７Ａに連結されている。第１装飾部材４１Ａの第１係合部７３は、装飾ケース部材４３のガイドスリット４３ａの上端部により構成され、役物ベース５０の第２係合部７４は、第１ケース５１の作動用スリット５４Ａの上端部により構成されている。
【００５６】
第１装飾部材４１Ａが進出位置と途中位置間を移動する際、作動部材４７Ａが第１装飾部材４１Ａの第１係合部７３に係合した状態で、第１装飾部材４１Ａと作動部材４７Ａとを一体的に昇降させることができ、第１装飾部材４１Ａが途中位置と進出位置間を移動する際、作動部材４７Ａが役物ベース５０の第２係合部７４に係合した状態で、作動部材４７Ａを移動停止状態に保持し、作動部材４７Ａに対する第１装飾部材４１Ａの相対移動を発生させることができる。
【００５７】
また、作動機構４８Ａは、第１装飾部材４１Ａと作動部材４７Ａとの相対移動により第２装飾部材４２Ａを揺動させるカム機構４９Ａを有する。このカム機構４９Ａは、作動部材４７Ａに設けられたカム溝８０と、第２装飾部材４２Ａに設けられカム溝８０に係合するカム係合部８１とを有する。カム溝８０は、作動部材４７Ａの上端部分に形成され、第２装飾部材４２Ａの後側に配置され、且つ第１装飾部材４１Ａの上部よりも後方に位置している。このカム溝８０は、右方ほど下方へ移行するように傾斜した傾斜溝部８０ａと、この傾斜溝部８０ａの左上端部に連なりそこから上方へ延びる鉛直溝部８０ｂを有する。
【００５８】
カム係合部８１は、第２装飾部材４２Ａの略中央部に後方突出状に形成されている。第１装飾部材４１Ａの上部には軸４１Ａａを中心とする円弧状の挿通孔（図示略）が形成され、カム係合部８１は、その挿通孔を挿通して、第１装飾部材４１Ａよりも後側へ突出してカム溝８０に係合している。第１装飾部材４１Ａが進出位置と途中位置間を移動する際、つまり第１装飾部材４１Ａと作動部材４７Ａが一体的に昇降される際、カム係合部８１は傾斜溝部８０ａの右下端部に係合し、第２装飾部材４２Ａが、その服により第１装飾部材４１Ａの胴体と尻とを覆う通常位置となる。
【００５９】
第１装飾部材４１Ａが途中位置と進出位置間を移動する際、つまり第１装飾部材４１Ａが作動部材４７Ａに対して相対的に昇降される際、カム係合部８１が傾斜溝部８０ａを相対的に移動することにより、第２装飾部材４２Ａが左右に揺動される。第１装飾部材４１Ａが進出位置の少し手前位置で、カム係合部８１が鉛直溝部８０ｂの下端部に達して、第１装飾部材４１Ａが通常位置から左方へ最大にずれて第１装飾部材４１Ａの尻を露出させる作動位置となる。第１装飾部材４１Ａが前記手前位置と進出位置間を移動する際には、第２装飾部材４２Ａが作動位置に保持される。
【００６０】
可動役物装置１７の作用・効果について説明する。
可動役物装置１７は、図４、図５に示すように、第１装飾部材４１Ａ，４１Ｂ，４１Ｃが全て退避位置にある状態から、電動モータ６０が駆動されて次のように作動する。先ず、図５、図６に示すように、駆動機構４６Ａにより左側の第１装飾部材４１Ａが退避位置から途中位置へ上昇される。
【００６１】
次に、図７、図８に示すように、第１装飾部材４１Ａが途中位置に保持された状態で、駆動機構４６Ｃにより右側の第１装飾部材４１Ｃが退避位置から途中位置へ上昇される。次に、図９、図１０に示すように、第１装飾部材４１Ａ，４１Ｃが途中位置に保持された状態で、駆動機構４６Ｂにより中央の第１装飾部材４１Ｂが退避位置から途中位置へ上昇され、第１装飾部材４１Ａ，４１Ｂ，４１Ｃが全て途中位置に保持される。
【００６２】
第１装飾部材４１Ａ，４１Ｂ，４１Ｃが退避位置から途中位置へ上昇する際、作動部材３７Ａ，３７Ｂ，３７Ｃは第１装飾部材４１Ａ，４１Ｂ，４１Ｃと一体的に上昇するため、第１装飾部材４１Ａ，４１Ｂ，４１Ｃの尻が第２装飾部材４２Ａ，４２Ｂ，４２Ｃの服に隠された状態で、第１，第２装飾部材４１Ａ，４１Ｂ，４１Ｃ，４２Ａ，４２Ｂ，４２Ｃが一体的上昇する。このように、３体の第１，第２，第３の可動役物４０Ａ，４０Ｂ，４０Ｃからなるサーファーギミックが出現する。  
【００６３】
その後、駆動機構４６Ａ，４６Ｂ，４６Ｃにより第１装飾部材４１Ａ，４１Ｂ，４１Ｃが同時に途中位置から進出位置へ上昇され、その際、作動部材３７Ａ，３７Ｂ，３７Ｃは移動停止され、故に、作動部材３７Ａ，３７Ｂ，３７Ｃに対して第１装飾部材４１Ａ，４１Ｂ，４１Ｃが相対移動するため、第２装飾部材４２Ａ，４２Ｂ，４２Ｃが第１装飾部材と共に移動しながら揺動する。
【００６４】
ここで、駆動機構４６Ａ，４６Ｂ，４６Ｃにより第１装飾部材４１Ａ，４１Ｂ，４１Ｃが途中位置と進出位置間で往復昇降され、これにより、３体の第１，第２，第３の可動役物４０Ａ，４０Ｂ，４０Ｃからなるサーファーギミックが波乗りの動作を実現し、このとき、滑稽に第１装飾部材４１Ａ，４１Ｂ，４１Ｃの尻が第２装飾部材４２Ａ，４２Ｂ，４２Ｃの服で隠されたり隠されなかったりすることが繰り返し行われる。
【００６５】
その後、最終的に、駆動機構４６Ａ，４６Ｂ，４６Ｃにより第１装飾部材４１Ａ，４１Ｂ，４１Ｃが同時に一気に進出位置から退避位置へ下降され、３体の第１，第２，第３の可動役物４０Ａ，４０Ｂ，４０Ｃからなるサーファーギミックが退去する。
【００６６】
この可動役物装置１７によれば、第１の可動役物４０Ａに関して、第１装飾部材４１Ａと、この第１装飾部材４１Ａに揺動自在に連結された第２装飾部材４２Ａと、第１装飾部材４１Ａを退避位置と進出位置とに亙って移動させる電動モータ６０を有する駆動機構４６Ａと、第１装飾部材４１Ａに相対移動自在に装着された作動部材４７Ａとを設けた。
【００６７】
そして、第１装飾部材４１Ａが退避位置から進出位置へ至るまでの途中位置へ移動する際に、作動部材４７Ａ及び第１，第２装飾部材４１Ａ，４２Ａを一体的に移動させ、第１装飾部材４１Ａが途中位置から進出位置へ移動する際に、第１装飾部材４１Ａと作動部材４７Ａとを相対移動させて、第２装飾部材４２Ａを第１装飾部材４１Ａと共に移動させながら揺動させる作動機構４８Ａを設けた。
【００６８】
つまり、共通の単一の電動モータ６０を駆動源として、第１装飾部材４１Ａが退避位置から進出位置へ移動する際、退避位置と途中位置間では、第１，第２装飾部材４１Ａ，４２Ａを一体的に移動させ、途中位置と進出位置間では、第２装飾部材を第１装飾部材と共に移動させながら揺動させるという、第１，第２装飾部材４１Ａ，４２Ａの斬新な動作を実現して、演出効果を高めることができる。
【００６９】
作動機構４８Ａは、作動部材４７Ａを第１装飾部材４１Ａに対して進出位置側（上方）へ付勢するバネ部材７０と、第１装飾部材４１Ａに設けられ且つ第１装飾部材４１Ａが退避位置から途中位置へ移動する際に作動部材４７Ａが係合する第１係合部７３と、役物ベース５０に設けられ且つ第１装飾部材４１Ａが途中位置から進出位置へ移動する際に作動部材４７Ａが係合する第２係合部７４とを設けた。
【００７０】
従って、第１装飾部材４１Ａが退避位置から途中位置へ移動する際に、作動部材４７Ａ及び第１，第２装飾部材４１Ａ，４２Ａを確実に一体的に移動させることができ、第１装飾部材４１Ａが途中位置から進出位置へ移動する際に、第１装飾部材４１Ａと作動部材４７Ａとを確実に相対移動させることができ、つまりは、第１，第２装飾部材４１Ａ，４２Ａの前記斬新な動作を実現する為の作動信頼性を高めることができる。
【００７１】
作動機構４８Ａは、第１装飾部材４１Ａと作動部材４７Ａとの相対移動により第２装飾部材４２Ａを揺動させるカム機構４９Ａを有し、そのカム機構４９Ａは、作動部材４７Ａに設けられたカム溝８０と、第２装飾部材４２Ａに設けられカム溝８０に係合するカム係合部８１とを有するので、第１装飾部材４１Ａと作動部材４７Ａとの相対移動により第２装飾部材４２Ａを確実に揺動させることが可能になる。
【００７２】
また、第２，第３の可動役物４０Ｂ，４０Ｃに関しても、第１の可動役物４０Ａに関する前記効果と同様の効果を奏する。しかも、第１，第２，第３の可動役物４０Ａ, ４０Ｂ，４０Ｃに関して、これら駆動機構４６Ａ，４６Ｂ，４６Ｃの駆動源を共通の単一の電動モータ６０として、３体の第１，第２，第３の可動役物４０Ａ，４０Ｂ，４０Ｃの前記の巧みな動作を実現することができ、依って、演出効果を非常に高めることができる。
【００７３】
尚、図示省略するが、カム機構において、第２装飾部材４２Ａにカム溝を設け、作動部材４７Ａにカム溝に係合するカム係合部を設けてもよい。その他、本発明の趣旨を逸脱しない範囲において、前記開示事項以外の種々の変更を付加して実施可能である。また、本発明は、前記パチンコ遊技機以外の種々のパチンコ遊技機、或いはパチンコ遊技機以外のスロットマシン等の種々の遊技機に適用可能である。
【符号の説明】
【００７４】
１  パチンコ遊技機
４１Ａ，４１Ｂ，４１Ｃ  第１装飾部材
４２Ａ，４２Ｂ，４２Ｃ  第２装飾部材
４６Ａ，４６Ｂ，４６Ｃ  駆動機構
４７Ａ，４７Ｂ，４７Ｃ  作動部材
４８Ａ，４８Ｂ，４８Ｃ  作動機構
４９Ａ  カム機構
５０  役物ベース
７０  バネ部材
７３  第１係合部
７４  第２係合部
８０  カム溝
８１  カム係合部
【図１】
0005300941.tif 000002
【図２】
0005300941.tif 000003
【図３】
0005300941.tif 000004
【図４】
0005300941.tif 000005
【図５】
0005300941.tif 000006
【図６】
0005300941.tif 000007
【図７】
0005300941.tif 000008
【図８】
0005300941.tif 000009
【図９】
0005300941.tif 000010
【図１０】
0005300941.tif 000011
【図１１】
0005300941.tif 000012
【図１２】
0005300941.tif 000013
【図１３】
0005300941.tif 000014
【図１４】
0005300941.tif 000015
【図１５】
0005300941.tif 000016
【図１６】
0005300941.tif 000017
【図１７】
0005300941.tif 000018
【図１８】
0005300941.tif 000019